(57)【要約】ケーブルエンドの取り付け作業を容易に行うことができると共に、取り付けられたケーブルエンドが抜け難く、又、簡単な構成であるキャリアプレート、及び該キャリアプレートを用いたウインドレギュレータを提供する。ケーブルのケーブルエンドを取り付けるケーブルエンド取付部を備え、前記ケーブルエンド取付部には前記ケーブルエンドが摺接して移動する案内部と、前記案内部により前記ケーブルエンド取付部の内側に案内された前記ケーブルエンドの移動を規制する規制面と、前記ケーブルエンドを係止するケーブルエンド係止部と、前記ケーブルエンド近傍のケーブルを収容するケーブル収容部とを有するケーブル係合部と前記規制面と前記ケーブルエンド係止部との間に設けられ、前記ケーブルエンドを収容可能なケーブルエンド収容部と、を有し、前記ケーブル収容部に前記ケーブルが収容されることを特徴とするキャリアプレートを用いる。
2012147949.tif 000002
【特許請求の範囲】
【請求項１】
ケーブルによりウインドガラスが昇降するウインドレギュレータ用のキャリアプレートであって、
前記ケーブルのケーブルエンドを取り付けるケーブルエンド取付部を備え、
前記ケーブルエンド取付部には
前記ケーブルエンドが摺接して移動する案内部と、
前記案内部により前記ケーブルエンド取付部の内側に案内された前記ケーブルエンドの移動を規制する規制面と、
前記ケーブルエンドを係止するケーブルエンド係止部と、前記ケーブルエンド近傍のケーブルを収容するケーブル収容部とを有するケーブル係合部と
前記規制面と前記ケーブルエンド係止部との間に設けられ、前記ケーブルエンドを収容可能なケーブルエンド収容部と、
を有し、
前記規制面に到達した前記ケーブルエンドが前記ケーブルエンド収容部に収容される際に、前記ケーブル収容部に前記ケーブルが収容される
ことを特徴とするキャリアプレート。
【請求項２】
前記案内部は、前記案内部に摺接した前記ケーブルエンドが前記規制面方向に押し込まれた際に、前記ケーブルエンドが規制面に到達するように形成された請求項１に記載のキャリアプレート。
【請求項３】
前記案内部が斜面である請求項１または請求項２に記載のキャリアプレート。
【請求項４】
前記案内部と前記ケーブルエンド係止部とが一体化された請求項１〜３のいずれかに記載のキャリアプレート。
【請求項５】
前記ケーブルエンド収容部は、前記ケーブルエンド収容部のケーブル軸方向における長さが前記ケーブルエンドのケーブル軸方向における長さと略同一である請求項１〜４のいずれかに記載のキャリアプレート。
【請求項６】
前記ケーブル収容部が一端に開口部を有するスリット状であり、ケーブルエンドが取り付けられた際の該ケーブルの延在方向におけるケーブルエンド取付部の近傍には、前記開口部から前記ケーブルが脱出することを阻害する阻害部が設けられた請求項１〜５のいずれかに記載のキャリアプレート。
【請求項７】
ガイドレールと、前記ガイドレールに沿って昇降する請求項１〜請求項６のいずれかに記載のキャリアプレートと、前記キャリアプレートに係止される上昇用及び下降用ケーブルと、前記上昇用及び下降用ケーブルのいずれかを引き操作する駆動装置とを備えたウインドレギュレータ。
【発明の詳細な説明】
【技術分野】
【０００１】
本発明は、キャリアプレート、及び、該キャリアプレートを用いた車両用ドアに適用されるウインドレギュレータに関する。
【背景技術】
【０００２】
車両用ドアに適用されて窓ガラスを上下させるウインドレギュレータは、一般に、前記窓ガラスが固定されるガラスホルダと、該ガラスホルダと連結されるキャリアプレートと、該キャリアプレートをガイドして昇降させるガイドレールと、キャリアプレートに一端が係止される上昇用及び下降用ケーブルと、該上昇用及び下降用ケーブルの何れかの他端を引き操作することで、キャリアプレートと共にガラスホルダに固定された窓ガラスを上下に移動させる駆動装置とを備える。【０００３】
ここで、ウインドレギュレータにて使用されるキャリアプレートとしては、特許文献１に開示するものがある。このキャリアプレートでは、上昇用及び下降用ケーブルの一端に取り付けられたケーブルエンドを夫々係止する上下の係止板と、該係止板に挟まれて隣接する開口部と、前記係止板を挟んで前記開口部と反対側にそれぞれ形成される挿入口と、前記開口部と挿入口とを連通する前記係止板に形成されるスリットと、前記係止板の上端同士を連結して前記開口部の上方を閉じる天面及び前記係止板の側縁同士を連結する側面と、前記天面、側面及び係止板によって内部に前記上昇用及び下降用ケーブルのケーブルエンドを収納する収納部とが基板に設けられている。
【先行技術文献】
【特許文献】
【０００４】
【特許文献１】特許第４２３０４０５号公報
【発明の概要】
【発明が解決しようとする課題】
【０００５】
特許文献１に開示するキャリアプレートでは、ケーブルエンドを取り付ける作業において、夫々別の挿入口より挿入して収容部方向へ押し込んだケーブルエンドが、前記収納部に収容されずにそれを越えてしまうことがある。このような事象が発生した場合には、一方のケーブルエンドが他方のケーブルエンドに乗り上げて、キャリアプレートより抜けやすい状態となる。そのため、作業者が、ケーブルエンドが適切な位置に配置されるように修正しつつ作業を進める必要が生じる。又、ケーブルエンドがキャリアプレートより抜けることを防止するためには、抜け止め爪等を設けることも有効であるが、この場合には前記抜け止め爪等に上昇用及び下降用ケーブルを手操作で夫々引っ掛けることが必要になり、作業が煩雑になる。【０００６】
本発明は、以上のような問題点に鑑みてなされたものであり、ケーブルエンドの取り付け作業を容易に行うことができると共に、取り付けられたケーブルエンドが抜け難く、又、簡単な構成であるキャリアプレート、及び該キャリアプレートを用いたウインドレギュレータを提供することを目的とする。
【課題を解決するための手段】
【０００７】
上記目的を達成するために、本発明のキャリアプレートは、ケーブルによりウインドガラスが昇降するウインドレギュレータ用のキャリアプレートであって、前記ケーブルのケーブルエンドを取り付けるケーブルエンド取付部を備え、前記ケーブルエンド取付部には、前記ケーブルエンドが摺接して移動する案内部と、前記案内部により前記ケーブルエンド取付部の内側に案内された前記ケーブルエンドの移動を規制する規制面と、前記ケーブルエンドを係止するケーブルエンド係止部と前記ケーブルエンド近傍のケーブルを収容するケーブル収容部とを有するケーブル係合部と、前記規制面と前記ケーブルエンド係止部との間に設けられ、前記ケーブルエンドを収容可能なケーブルエンド収容部と、を有し、前記規制面に到達した前記ケーブルエンドが前記ケーブルエンド収容部に収容される際に、前記ケーブル収容部に前記ケーブルが収容されることを特徴としている。
【発明の効果】
【０００８】
（１）本発明のキャリアプレートは、そのケーブルエンド取付部にケーブルのケーブルエンドを取り付ける作業において、前記ケーブルエンドを案内部に摺接させて移動し、当該ケーブルエンド取付部の内側へ案内した際に、ケーブルエンドの動きを規制面により規制する。これにより、本キャリアプレートは、ケーブルエンドがケーブル収容部を越えて移動することを防止して、確実にケーブルエンド収容部に収容することができるので、容易にケーブルエンドの取り付け作業を行うことができる。又、本キャリアプレートでは、前記ケーブルエンド収容部に収容されてケーブルエンド係止部に係止されたケーブルエンドが、前記規制面に当接して、ケーブルエンド収容部から脱出することを抑制されるので、前記案内部、ケーブル収容部等にケーブルの抜け止め爪等を設けるなどして、ケーブルエンドの収容位置やケーブルの収容を手作業で調節する必要もない。【０００９】
（２）本発明のキャリアプレートは、案内部が摺接しているケーブルエンドを規制面に到達するように案内することにより、作業者が規制面に到達するように前記ケーブルエンドの位置を修正する必要が無い。これにより、本キャリアプレートは、ケーブルエンドの取り付け作業が、一層容易である。【００１０】
（３）本発明のキャリアプレートは、案内部が傾斜していることで、それに摺接するケーブルエンドを規制面に誘導し易く、よって、ケーブルエンドの取り付け作業を一層容易に行うことができる。【００１１】
（４）本発明のキャリアプレートは、案内部とケーブルエンド係止部とが一体化されているので、構成が簡単で、コンパクトなものとすることができる。又、本キャリアプレートは、このことにより、ケーブルエンド係止部の厚さを確保し易くなるので、該ケーブルエンド係止部の強度を容易に確保できる。【００１２】
（５）本発明のキャリアプレートは、ケーブルエンド収容部のケーブル軸方向における長さがケーブルエンドのケーブル軸方向の長さと略同一であることにより、ケーブルエンド収容部にケーブルエンドを収容した際に、該ケーブルエンドのケーブル軸方向の可動範囲が小さくずれ難い。これにより、本キャリアプレートは、ケーブルエンドがケーブルエンド収容部より脱出することを一層抑制できる。【００１３】
（６）本発明のキャリアプレートは、ケーブルエンド取付部にケーブルエンドが取り付けられた状態において、ケーブルの延在方向における前記ケーブルエンド取付部の近傍に阻害部が設けられており、この阻害部がスリット状のケーブル収容部の開口部からケーブルが脱出することを抑制する。これにより、本キャリアプレートは、ケーブルがケーブル収容部から脱出することによる、ケーブルエンドのケーブルエンド収容部からの脱出を抑制できる。【００１４】
（７）本発明のウインドレギュレータは、上記本発明のキャリアプレートを有することで、上昇用及び下降用ケーブルの取り付けが容易である。
【図面の簡単な説明】
【００１５】
【図１】本発明のウインドレギュレータの正面図。
【図２】本発明のキャリアプレートの正面図。
【図３】本発明キャリアプレートの背面図。
【図４】図３におけるＡ−Ａ拡大断面図。
【図５】ケーブル及びケーブルエンドの拡大正面図。
【図６】ケーブルエンドのキャリアプレートへの取り付け順を説明する拡大断面図。
【図７】ケーブルエンドのキャリアプレートへの取り付け順を説明する拡大断面図。
【発明を実施するための形態】
【００１６】
以下、図面を参照しつつ、本発明の実施の形態を説明する。本発明のウインドレギュレータ１は、図外の車両用ドアのインナパネルやモジュールパネル（モジュールキャリア）に固定して使用されるものであり、図１に示すように、本発明のキャリアプレート２を備えている。本ウインドレギュレータ１は、窓ガラスが固定された図外のガラスホルダを連結している前記キャリアプレート２の他、該キャリアプレート２をガイドして昇降させるガイドレール３と、該ガイドレール３の上端及び下端に設けられる方向転換用部材４，５と、該方向転換用部材４，５とアウターチューブ６，７を介して接続される駆動装置８とを備える。又、本ウインドレギュレータ１では、図５（ａ）に示す上昇用ケーブル９については、方向転換用部材４に掛け回されてその先端に設けたケーブルエンド９ａがキャリアプレート２に取り付けられ、アウターチューブ６内を通って他端を駆動装置８内の図外のドラムに接続されており、更に、図５（ｂ）に示す下降用ケーブル１０については、方向転換用部材５に掛け回されてその先端に設けたケーブルエンド１０ａがキャリアプレート２に取り付けられ、アウターチューブ７内を通って他端を駆動装置８内の前記図外のドラムに接続されている。
【００１７】
ウインドレギュレータ１は、上記の構成をとることによって、前記駆動装置８が備えるモータ１１を動作させることで前記図外のドラムを回転駆動して、上昇用ケーブル９をドラムに巻き取ることで引き操作すると共に下降用ケーブル１０をドラムより一端側へ送り出すことにより前記図外のガラスを上昇させ、又、上昇用ケーブル９を一端側へ送り出すと共に下降用ケーブル１０をドラムに巻き取ることで引き操作することによりガラスを下降させるものである。
【００１８】
ウインドレギュレータ１は、前記キャリアプレート２の構成に特徴があり、それ以外の構成については公知のものを採用してもよい。従って、以下では、キャリアプレート２の構成を中心に説明する。
【００１９】
前記キャリアプレート２は、樹脂材料により構成されており、図２，３に示すように、左右の端部付近に設けられて、前記図外のガラスホルダとの連結に使用される貫通孔１２ａ，１２ｂと、該貫通孔１２ａ，１２ｂより中央寄りの正面側に設けられて、図１に示す前記ガイドレール３との移動可能な係合に使用される係合部１３ａ，１３ｂ，１３ｃと、中央部付近に上下に延び、且つ、背面側へ開口して設けられて、図５（ａ），（ｂ）に示すケーブルエンド９ａ，１０ａが取り付けられると共に、該ケーブルエンド９ａ，１０ａ近傍の上昇用ケーブル９、下降用ケーブル１０が収容されるケーブルエンド取付部１４と、該ケーブルエンド取付部１４に収容された上昇用ケーブル９、下降用ケーブル１０の抜けを阻害する阻害部１５とを備える。
【００２０】
前記ケーブルエンド取付部１４は、図２〜４に示すように、図５（ａ），（ｂ）に示す上昇用ケーブル９のケーブルエンド９ａ及び下降用ケーブル１０のケーブルエンド１０ａを挿通するために正面側の両側に夫々設けられたケーブル挿通孔１６と、該ケーブル挿通孔１６より挿入された前記ケーブルエンド９ａ，１０ａが摺接して移動する案内部１７と、該案内部１７より当該ケーブルエンド取付部１４の内側に案内されたケーブルエンド９ａ，１０ａのそれぞれの挿通方向への移動を規制する平板の両側面からなる規制面１８とを備える。更に、ケーブルエンド取付部１４は、ケーブル係合部１９とケーブルエンド収容部２０とを備える。前記ケーブル係合部１９は、ケーブルエンド９ａ，１０ａの戻り方向への移動を係止するケーブルエンド係止部１９ａ、及びケーブルエンド９ａ，１０ａ近傍の上昇用ケーブル９、下降用ケーブル１０を収容するケーブル収容部１９ｂより構成される。前記ケーブルエンド収容部２０は、前記規制面１８と前記ケーブル係止部１９ａとの間に設けられてケーブルエンド９ａ，１０ａを収容可能とされている。
【００２１】
尚、ケーブルエンド取付部１４は、図１に示すように、同図の上方側から上昇用ケーブル９のケーブルエンド９ａの挿通を受け入れ、下方側より下降用ケーブル１０のケーブルエンド１０ａの挿通を受け入れることができるようにするために、図３，図４に特によく表れるように、上記ケーブル挿通孔１６、案内部１７、規制面１８、ケーブル係合部１９及びケーブルエンド収容部２０が夫々設けられ、それらは互いに相対向するように配置されている。
【００２２】
前記ケーブル挿通孔１６は、図４に特によく表れるように、開放されている正面側より背面側に向けて開口しており、図５（ａ），（ｂ）に示す前記ケーブルエンド９ａ，１０ａを挿通できるように該ケーブルエンド９ａ，１０ａの外径より広く開口している。当該ケーブルエンド９ａ，１０ａは、球状、六角形柱状、その他の形状であってもよい。
【００２３】
前記案内部１７は、図３，４に示すように、背面側に向けて開口している前記ケーブル係合部１９のケーブル収容部１９ｂを挟んで両側に設けられ、案内部１７の上側であって中央側に上方拡がりとなるように形成するように設けられた案内補助部１７ｂを備え、更に、ケーブルエンド取付部１４のケーブル軸方向の外側から内側に向かって設けられ、キャリアプレート２の正面側から背面側に向けて傾斜する案内斜面部１７ａを備え、また、該案内斜面部１７ａのケーブルエンド取付部１４のケーブル軸方向の外側の端部に連結され、該案内斜面部１７ａと比べて傾斜が緩い誘導部１７ｃとを備える。
【００２４】
前記ケーブル係合部１９のケーブルエンド係止部１９ａは、図３，４に特によく表れるように、前記ケーブル収容部１９ｂを挟んで両側に設けられ、前記ケーブルエンド収容部２０を挟んで前記規制面１８と対向するように配置されている。このケーブルエンド係止部１９ａは、前記案内部１７と一体化されている。
【００２５】
前記ケーブル係合部１９のケーブル収容部１９ｂは、図４に特によく表れるように、その両側に設けられている前記案内部１７及び前記ケーブルエンド係止部１９ａとの間の背面側に設けられ、スリット幅が前記上昇用ケーブル９、下降用ケーブル１０の外径より広く、ケーブルエンド９ａ，１０ａの外径より狭くなるように形成されているスリット状の開口部１９ｃを有している。このケーブル収容部１９ｂは、そのケーブルエンド取付部１４のケーブルエンド収容部側である内側の端部が前記ケーブルエンド収容部２０に、外側端及び背面側が前記ケーブル挿通孔１６に、夫々空間的に連通している。
【００２６】
前記ケーブルエンド収容部２０は、図４に示すように、前記規制面１８とケーブルエンド係止部１９ａとの間が、ケーブルエンド９ａ，１０ａの上昇用ケーブル９、下降用ケーブル１０の軸方向に沿った長さと略同一に構成されている。又、図４におけるケーブルエンド収容部２０の背面側は、ケーブルエンド取付部１４の図４における背面側の外側へ開放されている。
【００２７】
前記阻害部１５は、図４に示すように、前記ケーブルエンド収容部２０にケーブルエンド９ａ，１０ａが収容されている状態において、上昇用ケーブル９，下降用ケーブル１０の延在方向における前記ケーブルエンド取付部１４の外側近傍に設けられている。この阻害部１５は、前記ケーブル収容部１９ｂに収容されたケーブル９、１０に対し、前記ケーブル収容部１９ｂの底側と反対側に設けられているが、前記開口部から前記ケーブルが脱出することを阻害するものであれば、これに限定されず突起状等に形成してもよい。
【００２８】
次に、以上の構成からなる本発明のキャリアプレート２のケーブルエンド取付部１４に、上昇用ケーブル９のケーブルエンド９ａを取り付ける手順を図６及び図７に基づいて説明する。
【００２９】
まず、図６（ａ）に示すように、上昇用ケーブル９を手で持ちながら前記ケーブル挿通孔１６の開放されている正面側より背面側に向けて、ケーブルエンド９ａを挿入する。これにより、ケーブルエンド９ａは、その先端部分がまず前記案内部１７の誘導部１７ｃに当接する。
【００３０】
次に、図６（ｂ）に示すように、上昇用ケーブル９を前記ケーブルエンド取付部１４のケーブルエンド収容部側である内側へ更に押し込むと、上昇用ケーブル９が前記案内部１７の誘導部１７ｃ、案内斜面部１７ａを順次摺接しつつ移動する。
【００３１】
次に、図６（ｃ）に示すように、上昇用ケーブル９を前記ケーブルエンド取付部１４の内側へ更に押し込むと、ケーブルエンド９ａが、対向して設けられている前記案内補助部１７ｂに到達して、それに摺接しつつ移動する。この際、前記案内補助部１７ｂは、前記ケーブル係合部１９のケーブル収容部１９ｂを挟んで対向してその横断面が略Ｖ字の谷状となっている。これにより、ケーブルエンド９ａは、前記案内補助部１７ｂの略Ｖ字形の谷間に押し込まれて進むことにより、前記規制面１８に向けて案内される。
【００３２】
次に、図７（ａ）に示すように、上昇用ケーブル９を前記ケーブルエンド取付部１４の内側へと更に押し込むと、ケーブルエンド９ａが前記規制面１８に到達する。これにより、ケーブルエンド９ａは、前記案内補助部１７ｂの谷間から落下して、図7（ｂ）に示すように、前記ケーブルエンド収容部２０に収容される。
【００３３】
ここで、前記ケーブル係合部１９のケーブル収容部１９ｂは、上昇用ケーブル９の外径より広く、ケーブルエンド９ａの外径より狭いスリット状に形成されているので、ケーブルエンド９ａ近傍が落下することで上昇用ケーブル９を収容することとなる。又、前記ケーブル収容部１９ｂの内側に形成されている前記ケーブルエンド係止部１９ａは、ケーブルエンド９ａの戻り方向への移動を係止する。
【００３４】
以上の手順により、本発明のキャリアプレート２では、そのケーブルエンド取付部１４へ、上昇用ケーブル９のケーブルエンド９ａを取り付けることができる。尚、本発明のキャリアプレート２では、上記同様の手順により、ケーブルエンド取付部１４へ、下降用ケーブル１０のケーブルエンド１０ａを取り付けることができる。
【００３５】
以上、説明した本発明のキャリアプレート２は、そのケーブルエンド取付部１４に上昇用ケーブル９、下降用ケーブル１０の一端に取り付けられたケーブルエンド９ａ，１０ａを取り付ける作業において、該ケーブルエンド９ａ，１０ａを前記案内部１７の誘導部１７ｃ、案内斜面部１７ａ、案内補助部１７ｂに順次摺接させて移動し、当該ケーブルエンド取付部１４の内側のケーブルエンド収容部側へ案内した際に、前記規制面１８によりケーブルエンド９ａ，１０ａの動きを規制する。これにより、本発明のキャリアプレート２では、ケーブルエンド９ａ，１０ａが、前記ケーブルエンド収容部２０を超えて移動することが防止されて、確実に当該ケーブルエンド収容部２０に収容できるので、容易に本作業を行うことができる。
【００３６】
又、本発明のキャリアプレート２では、上昇用ケーブル９、下降用ケーブル１０の張力が緩んだ際に、前記ケーブルエンド収容部２０に収容されたケーブルエンド９ａ，１０ａが、前記規制面１８に当接して、ケーブルエンド収容部２０より脱出することを抑制されるので、前記案内部１７や前記ケーブル係合部１９のケーブル収容部１９ｂ等に上昇用ケーブル９、下降用ケーブル１０の抜け止め爪等の機構を設ける必要が無い。
【００３７】
又、本発明のキャリアプレート２では、前記案内部１７の案内補助部１７ｂが、前記ケーブル係合部１９のケーブル収容部１９ｂを挟んで対向し、略Ｖ字形の谷間にケーブルエンド収容部が形成されるように、該ケーブル収容部１９ｂを中央として上方拡がりとなるように形成している。この様な形状となることにより、ケーブルエンド９ａ，１０ａは、案内補助部１７ｂに摺接してガイドされて、落下することなく前記規制面１８に到達するように前記案内部１７により案内されることとなる。これにより、作業者が規制面１８に到達するようにケーブルエンド９ａ，１０ａの位置を手でケーブルエンド９ａ，１０ａをもって操作により修正する必要が無い。このように、本発明のキャリアプレート２は、そのケーブルエンド取付部１４へのケーブルエンド９ａ，１０ａの取り付け作業が一層容易である。
【００３８】
又、本発明のキャリアプレート２では、前記案内部１７が、前記ケーブルエンド取付部１４の外側から内側にかけて、当該キャリアプレート２の正面側から背面側に向けて傾斜している。この案内部１７は、ケーブルエンド９ａ，１０ａの取り付け作業において、まずケーブルエンド９ａ，１０ａが摺接する前記誘導部１７ｃが、その後に摺接する案内斜面部１７ａより緩やかな傾斜に構成されている。これにより、本発明のキャリアプレート２は、前記案内部１７に摺接するケーブルエンド９ａ，１０ａを前記規制面１８に誘導しやすく、よって、そのケーブルエンド取付部１４へのケーブルエンド９ａ，１０ａの取り付け作業が一層容易である。
【００３９】
又、本発明のキャリアプレート２は、前記案内部１７及び前記ケーブル係合部１９のケーブルエンド係止部１９ａが一体化されているので、構成が簡単で、コンパクトなものとすることができる。又、本発明のキャリアプレート２は、上記の構成により、ケーブルエンド係止部１９ａの上昇用ケーブル９、下降用ケーブル１０の戻り方向の厚さを確保し易くなり、従って、上昇用ケーブル９、下降用ケーブル１０の戻り方向へ作用する力に対してのケーブルエンド係止部１９ａの強度を容易に確保することができる。
【００４０】
又、本発明のキャリアプレート２は、上昇用ケーブル９、下降用ケーブル１０の軸方向における前記ケーブルエンド９ａ，１０ａの長さと、前記ケーブルエンド収容部２０の長さが略同一であるので、該ケーブルエンド収容部２０内におけるケーブルエンド９ａ，１０ａの前記軸方向への可動範囲が小さく構成されている。これにより、本発明のキャリアプレート２は、ケーブルエンド９ａ，１０ａがケーブルエンド収容部２０内で前記軸方向にずれ難いので、ケーブルエンド９ａ，１０ａがケーブルエンド収容部２０から脱出することを一層抑制することができる。
【００４１】
又、本発明のキャリアプレート２は、前記ケーブル係合部１９のケーブル収容部１９ｂに収容した上昇用ケーブル９、下降用ケーブル１０の延在方向、且つ、前記ケーブルエンド取付部１４の近傍に設けられた前記阻害部１５が、背面側に開口する前記ケーブル収容部１９ｂの開口部１９ｃより正面側に位置し、記開口部から前記ケーブルが脱出することを阻害するようにされている。前記阻害部１５により、本発明のキャリアプレート２は、前記開口部１９ｃより脱出しようとする上昇用ケーブル９、下降用ケーブル１０を阻害部１５に当接させて当該脱出を抑制し、延いてはケーブルエンド９ａ，１０ａがケーブルエンド収容部２０から脱出することも抑制できる。
【００４２】
又、本発明のウインドレギュレータ１は、上記本発明のキャリアプレート２を用いて構成されるので、上昇用ケーブル９，下降用ケーブル１０の組み付けが容易である。
【００４３】
尚、本実施の形態で示したウインドレギュレータ１、キャリアプレート２は、本発明に係るウインドレギュレータ，キャリアプレートの一態様にすぎず、本発明の要旨を逸脱しない範囲内で種々の変形実施が可能である。
【産業上の利用可能性】
【００４４】
本発明に係るウインドレギュレータは、車両用ドアに適用することができる。又、本発明に係るキャリアプレートは、前記ウインドレギュレータに適用することができる。
【符号の説明】
【００４５】
１  ウインドレギュレータ
２  キャリアプレート
３  ガイドレール
８  駆動装置
９  上昇用ケーブル
９ａ，１０ａ  ケーブルエンド
１０  下降用ケーブル
１４  ケーブルエンド取付部
１５  阻害部
１７  案内部
１７ａ  案内斜面部
１７ｂ  案内補助部
１７ｃ  誘導部
１８  規制面
１９  ケーブル係合部
１９ａ  ケーブルエンド係止部
１９ｂ  ケーブル収容部
１９ｃ  開口部
２０  ケーブルエンド収容部
【図１】
2012147949.tif 000003
【図２】
2012147949.tif 000004
【図３】
2012147949.tif 000005
【図４】
2012147949.tif 000006
【図５】
2012147949.tif 000007
【図６】
2012147949.tif 000008
【図７】
2012147949.tif 000009
【国際調査報告】
2012147949.tif 000010
2012147949.tif 000011